(57)【特許請求の範囲】
【請求項１】
購入金額に応じたデータと個人識別データが記録されるカード状記録媒体と、前記カード状記録媒体に記録されたデータを読み取るカードリーダと、前記カードリーダが読み取ったデータに基づいて福引きを作成する制御手段と、前記福引きの抽選履歴を前記個人識別データに基づいて記憶する記憶手段とを備え、
前記福引きは、表示手段に表示されたマトリクス状に配列された多数のマス目の中から２個のマス目を選択し、その裏に隠された当選を決めるための情報が一致した場合に当選となるようにした仕組みであって、
前記制御手段が、前記福引きを作成する際に前記個人識別データに基づいて前記記憶手段から抽選履歴を読み込み、この抽選履歴及び前記カードリーダが読み取った購入金額に応じたデータに基づいて前記福引きの当選確率を設定するためのポイント数を計算し、このポイント数に基づいて、ポイント数が多くなると選択するマス目の数が少なくなるようにしたことを特徴とする福引きシステム。
【請求項２】
購入金額に応じたデータと個人識別データが記録されるカード状記録媒体と、前記カード状記録媒体に記録されたデータを読み取るカードリーダと、前記カードリーダが読み取ったデータに基づいて福引きを作成する制御手段と、前記福引きの抽選履歴を前記個人識別データに基づいて記憶する記憶手段とを備え、
前記福引きは、表示手段に表示されたマトリクス状に配列された多数のマス目の中から２個のマス目を選択し、その裏に隠された当選を決めるための情報が一致した場合に当選となるようにした仕組みであって、
前記制御手段が、前記福引きを作成する際に前記個人識別データに基づいて前記記憶手段から抽選履歴を読み込み、この抽選履歴及び前記カードリーダが読み取った購入金額に応じたデータに基づいて前記福引きの当選確率を設定するためのポイント数を計算し、このポイント数に基づいて、ポイント数が多くなると抽選回数が多くなるようにしたことを特徴とする福引きシステム。
【発明の詳細な説明】
【０００１】
【発明の属する技術分野】
本発明は、商店街や大型販売店等で使用される福引きシステムに関し、更に詳しくは、コンピュータを利用して過去の抽選結果を当選確率に反映させるようにした福引きシステムに関するものである。
【０００２】
【従来の技術】
周知のように商店街や販売店等では、歳末等の売り出し時において、売り上げ増加を図るために福引きが行われることが多い。従来より一般的に行われている福引きは、顧客に購入金額に応じて抽選券や所定枚数で抽選可能となる抽選補助券を渡し、顧客が抽選会場で抽選券や所定枚数の抽選補助券を係員に渡し、内部に多数の小球が収納されたドラムを抽選回数だけ回転させてドラムの周壁に設けられた開口部から一回転毎に小球を一個ずつ取り出し、この小球の色で当選か否かを判定するようにしている。
【０００３】
【発明が解決しようとする課題】
上述したような従来の福引きでは、購入金額が大きいほど当選確率が高くなるようになっているのみで、公団住宅のくじ引きのように過去の落選回数が多くなるほど当選確率が高くなるようになっていないため、当選のための条件が全ての顧客に対して同一で、地元客等の繰り返し訪れる顧客を優遇することができないという問題点が有った。
【０００４】
本発明は上述した問題点を解決するためになされたものであって、その目的は、繰り返し訪れる顧客に有利な福引きシステムを提供することにある。
【０００５】
【課題を解決するための手段】
上述した目的を達成するために、本発明の福引きシステムは、購入金額に応じたデータと個人識別データが記録されるカード状記録媒体と、前記カード状記録媒体に記録されたデータを読み取るカードリーダと、前記カードリーダが読み取ったデータに基づいて福引きを作成する制御手段と、前記福引きの抽選履歴を前記個人識別データに基づいて記憶する記憶手段とを備え、前記福引きは、表示手段に表示されたマトリクス状に配列された多数のマス目の中から２個のマス目を選択し、その裏に隠された当選を決めるための情報が一致した場合に当選となるようにした仕組みであって、前記制御手段が、前記福引きを作成する際に前記個人識別データに基づいて前記記憶手段から抽選履歴を読み込み、この抽選履歴及び前記カードリーダが読み取った購入金額に応じたデータに基づいて前記福引きの当選確率を設定するためのポイント数を計算し、このポイント数に基づいて、ポイント数が多くなると選択するマス目の数が少なくなるようにしたことを特徴とするものである。
【０００６】
また、本発明の福引きシステムは、購入金額に応じたデータと個人識別データが記録されるカード状記録媒体と、前記カード状記録媒体に記録されたデータを読み取るカードリーダと、前記カードリーダが読み取ったデータに基づいて福引きを作成する制御手段と、前記福引きの抽選履歴を前記個人識別データに基づいて記憶する記憶手段とを備え、前記福引きは、表示手段に表示されたマトリクス状に配列された多数のマス目の中から２個のマス目を選択し、その裏に隠された当選を決めるための情報が一致した場合に当選となるようにした仕組みであって、前記制御手段が、前記福引きを作成する際に前記個人識別データに基づいて前記記憶手段から抽選履歴を読み込み、この抽選履歴及び前記カードリーダが読み取った購入金額に応じたデータに基づいて前記福引きの当選確率を設定するためのポイント数を計算し、このポイント数に基づいて、ポイント数が多くなると抽選回数が多くなるようにしたことを特徴とする。
【０００９】
【発明の実施の形態】
以下、本発明の具体的な実施形態を図面を参照しながら説明する。
図１は本発明の一実施形態である福引きシステム１の構成図、図２は図１の福引きシステム１に使用されるＩＣカード７の平面図、図３は図１の福引きシステム１による福引き作成の手順を示すフローチャート、図４は図１の福引きシステム１のディスプレイ４の画面の表示例を示す図、図５〜図７は確率データ作成用のテーブルの一例を示す図である。
【００１０】
本実施形態の福引きシステム１は、ある商店街で買い物をした顧客を対象に行われる福引きを実施するためのものであって、図１に示すように、抽選会場に設置される制御用のクライアントパソコン２と、抽選会場の外に設置されクライアントパソコン２に接続された顧客データベース保管用のサーバパソコン３とを備えている。クライアントパソコン２には液晶等のディスプレイ４とカードリーダ５が接続され、サーバパソコン３にはハードディスク装置等の記憶装置６が接続されている。
【００１１】
カードリーダ５に挿脱されるＩＣカード７は、商店街で買い物をする各顧客に要望に応じて渡されるものであって、表面にデータ授受用の接点８とサーマルリライト方式の表示素子９とを有している。ＩＣカード７に内蔵されたＩＣチップには、顧客の識別番号、氏名、住所、生年月日、性別等の個人データの他に、購入金額に応じたポイントが購入日時とともに記録され、表示素子９にはこれまでに獲得したポイントの累計値が表示される。
【００１２】
即ち、顧客が買い物をすると、ＩＣカード７がレジスタに接続されたカードリーダ・ライタに挿入され、カードリーダ・ライタによってＩＣカード７に記録されたデータが読み込まれる。そして、購入金額に応じたポイントが計算され、顧客がこれまでに獲得した全ポイントの累計値と次の福引きで使用可能なポイントの累計値が計算され、これらが表示素子９に記録されるとともに、今回のポイントが購入日時とともにＩＣチップに記録される。
【００１３】
記憶装置６には、顧客の個人データの集合である顧客データベースが顧客の識別番号に基づいて格納される。この顧客データベースには、顧客の氏名、住所、生年月日、性別等の個人データの他に、顧客が行った福引きの抽選履歴が含まれている。抽選履歴のデータ内容は、抽選日時、抽選結果、抽選に使用されたポイント数等である。
【００１４】
次に、上記の福引きシステム１によって福引きを作成する手順を図３を参照しつつ説明する。
顧客がＩＣカード７をカードリーダ５に挿入すると（ステップ＃１０）、ＩＣカード７に記録されたデータが読み込まれ、顧客の識別番号と今回の福引きで使用可能なポイントがサーバパソコン３に送信される（ステップ＃２０）。
【００１５】
サーバパソコン３は、送信されてきた顧客の識別番号に基づいて記憶装置６から顧客データベースを読み込み（ステップ＃３０）、この中に抽選履歴が含まれているかを調べ（ステップ＃４０）、含まれている場合には、落選回数、当選日時等に基づいて加算ポイントを算出する（ステップ＃５０）。そして、今回の福引きで使用可能なポイントの累計値とこの加算ポイントの和を算出する。なお、ステップ＃４０で抽選履歴が存在しない場合には、今回の福引きで使用可能なポイントの累計値のみを算出する（ステップ＃６０）。
【００１６】
次に、サーバパソコン３は、得られた累計ポイントから、所定の基準にしたがって、当選確率を設定するためのデータを作成する。即ち、本実施形態の福引きは、図４に示すように、マトリックス状に配列された多数のマス目の中から二個のマス目を選択し、その裏に隠された当選番号が一致した場合に当選となるようにしたものであるが、図５のテーブルに示すように、獲得ポイント数が多くなるほど当選本数が多くなるようにする、図６のテーブルに示すように、獲得ポイント数が多くなるほど選択するマス目の数が少なくなる（当選本数は不変）ようにする、あるいは図７のテーブルに示すように、獲得ポイント数が多くなるほど抽選回数が多くなる（当選本数は不変）ようにする、等の基準にしたがって、当選確率を設定するためのデータを作成する（ステップ＃７０）。
【００１７】
上述したように、ステップ＃５０において、過去に当選経験が無かったり、落選が長く続いたりしている顧客の場合には、ポイントが加算されるので、当選確率が高くなる。したがって、繰り返し訪れる顧客にとって有利である。そして、サーバパソコン３は、ステップ＃７０で得られたデータをクライアントパソコン２に送信し（ステップ＃８０）、クライアントパソコン２は送信されてきたデータにしたがって福引き用の画面を作成し（ステップ＃９０）、図４に示すようにディスプレイ４に表示する（ステップ＃１００）。
【００１８】
顧客は表示された福引き画面によって抽選を行う。即ち、ディスプレイ４上に表示されたマトリックス状のマス目の中から二個のマス目を選んでタッチする。選択された二個のマス目の裏にそれぞれ当選番号が存在していて、かつこれらが互いに一致した場合には当選となり、ディスプレイ４上にその旨が表示される。抽選が終了すると、ディスプレイ４に表示されたマス目が消去されて初期画面に戻る。
【００１９】
そして、抽選結果、抽選日時、抽選に使用したポイント数等がサーバパソコン３に送信され、記憶装置６に格納される。また、ＩＣカード７の表示素子９の抽選ポイントの欄に表示したポイントが消去され、このポイントから抽選に使用したポイントを減算したポイントが表示素子９の抽選ポイントの欄に書き込まれ、ＩＣカード７がカードリーダ５から排出される。
【００２０】
なお、本発明は上述した実施形態に限定されるものではなく、種々の変更が可能である。
例えば、上述した実施形態では、抽選履歴を記憶装置にて管理し、記憶装置に接続されたコンピュータで抽選履歴を呼び出し、加算ポイントの算出、抽選に使用可能な累計ポイントの算出を行うようにしているが、抽選履歴をカード状記録媒体に記録し、ポイント（加算ポイント及び抽選に使用可能な累計ポイント）をカードリーダに接続されたコンピュータで計算するようにしてもよい。この場合、記憶装置やこれに接続されたコンピュータが不要となるためコストが低減する。
【００２１】
また、上述した実施形態では、コンピュータに外付けされた記憶装置で抽選履歴を管理するようにしているが、コンピュータ内蔵の記憶装置やメモリで抽選履歴を管理するようにしてもよい。
【００２２】
また、上述した実施形態では、過去に当選経験が無かったり、落選が長く続いたりしている顧客の当選確率が高くなるようにしているが、過去に当選した顧客の当選確率が低くなるようにしたり、１等に当選した顧客は再び所定期間１等が出ないようにする等によって、顧客間の平等を図るようにしても良い。
【００２３】
また、カード状記録媒体として、磁気カードを使用しても良い。
さらに、カード状記録媒体の表示素子として、記録状態及び消去状態相互間における表示状態の変更について一方への変更は電界の作用により行われ、他方への変更は熱の作用により行われるものを使用しても良い。このような表示素子の具体例としては、例えば、高分子中に分散保持された液晶の配合状態を熱及び電界の作用によって変更可能な液晶／高分子複合膜（ＰＤＬＣ膜）によって形成されたものを挙げることができる。
【００２４】
【発明の効果】
以上説明したように本発明の福引きシステムは、過去の抽選結果に基づいて福引きの当選確率を設定するようにしたことにより、繰り返し訪れる顧客にとって有利となるため、顧客の確保と売り上げ増加を図ることができるという効果を奏する。
【図面の簡単な説明】
【図１】  本発明の一実施形態である福引きシステム１の構成図。
【図２】  図１の福引きシステム１に使用されるＩＣカード７の平面図。
【図３】  図１の福引きシステム１の福引き作成の手順を示すフローチャート。
【図４】  図１の福引きシステム１のディスプレイ４の画面の表示例を示す図。
【図５】  確率データ作成用のテーブルの一例を示す図。
【図６】  確率データ作成用のテーブルの一例を示す図。
【図７】  確率データ作成用のテーブルの一例を示す図。
【符号の説明】
１  福引きシステム
２  クライアントパソコン（制御手段）
３  サーバパソコン（制御手段）
５  カードリーダ
６  記憶装置（記憶手段）
７  ＩＣカード（カード状記録媒体）
【図１】
0004117941.tif 000002
【図２】
0004117941.tif 000003
【図３】
0004117941.tif 000004
【図４】
0004117941.tif 000005
【図５】
0004117941.tif 000006
【図６】
0004117941.tif 000007
【図７】
0004117941.tif 000008